(57)【要約】【課題】下流フィルターの集塵面側の掃除を行う際、重力により上流フィルターが下流フィルター側に覆いかぶさり、下流フィルター集塵面側のお手入れができないこと。【解決手段】塵埃を捕集する集塵ケース８と、集塵ケース８に回動自在に設けられ粗塵を捕集する上流フィルター９と、集塵ケース８に回動自在に設けられ上流フィルター９を通過した細塵を捕集する下流フィルター１０と、下流フィルター１０を集塵ケース８に保持する尾錠と、上流フィルター９を集塵ケース８に保持する係止部と、尾錠および係止部による保持を解除する操作部とを備え、操作部を操作して保持を解除し、下流フィルター１０、上流フィルター９を順に回動させて集塵ケース８の開口部を開放させた後、上流フィルター９のみを集塵ケース８に保持できるようにしたもので、下流フィルターの集塵面側のお手入れが、上流フィルターに邪魔されることなく実施できるようになる。【選択図】図８
2010035787.tif 000002
【特許請求の範囲】
【請求項１】
前部に吸入口を有し塵埃を捕集する集塵ケースと、前記集塵ケースの開口部に回動自在に設けられ粗塵を捕集する上流フィルターと、同じく前記集塵ケースの開口部で前記上流フィルターの下流側に回動自在に設けられ前記上流フィルターを通過した細塵を捕集する下流フィルターと、前記下流フィルターを前記集塵ケースの開口部で前記上流フィルターの下流側に保持する尾錠と、前記上流フィルターを前記集塵ケースの開口部に保持する係止部と、前記尾錠による下流フィルターの保持および係止部による上流フィルターの保持を共に解除する操作部とを備え、前記操作部を操作して保持を解除し、前記下流フィルター、上流フィルターを順に回動させて前記集塵ケースの開口部を開放させた後、前記上流フィルターのみを前記集塵ケースに保持できるようにした集塵装置。
【請求項２】
尾錠による下流フィルターの保持を操作部により解除したときに、係止部による上流フィルターの保持も解除されている構成とした請求項１に記載の集塵装置。
【請求項３】
請求項１または２に記載の集塵装置を備えた電気掃除機。
【発明の詳細な説明】
【技術分野】
【０００１】
本発明は、電気掃除機に関するもので、特に、電気掃除機の集塵装置に関するものである。
【背景技術】
【０００２】
従来の電気掃除機の集塵方法として、使い捨ての紙パックを利用するものと、再利用可能な集塵装置を利用するものがあるが、近年、経済的な集塵装置を利用した電気掃除機が増えている。簡単な構造の集塵装置として、ゴミをためる集塵ケースに粗塵を捕集する上流フィルターと細塵を捕集するプリーツ状に加工したフィルターを有する下流フィルター両方が回動自在に取着されて集塵ケースの蓋となる構造の集塵装置がある。前記の集塵装置において、蓋となる上流／下流フィルターの回動軸は集塵ケース下方に設けられ、係止部、係止部を解除する操作部及び取り出し／持ち運び用の持ち手部が集塵ケースの上方に配置される構成（以下、下方回動軸構成）が主流である（例えば、特許文献１参照）。
【特許文献１】特開２００８−２２９３２号公報
【発明の開示】
【発明が解決しようとする課題】
【０００３】
前記の下方回動軸構成では、ゴミ捨て時に下流側プリーツフィルターから除塵され、下流フィルター下部にたまった細塵の処理やプリーツフィルターについた細塵を付属のお手入れブラシで除去する際に、除去する方向が下流フィルター上部の被係止部方向になるため、清潔性に劣るなどの課題が挙げられる。また、ゴミ捨て時に開放側が上向きになるため、ほこりが舞い上がりやすいなどの課題が挙げられる。一方で、前記の上流フィルターおよび下流フィルターを開閉する際の回動軸部を集塵ケースの上方に設け、ゴミ捨て時の開放方向を下向きにする構成では前記のごみ捨て時のお手入れ性や清潔性を改善することができるが、上流フィルターと下流フィルター２層の蓋方式での上方回動軸構成では、集塵ケースのごみ捨ておよび上流フィルターのお手入れ後に、下流フィルターの集塵面側のお手入れ（お手入れブラシなどによる）を行う際、重力により上流フィルターが下流フィルター側に落ちてお手入れが必要な下流フィルターの集塵面が上流フィルターに覆われることで下流フィルターの集塵面側のお手入れ性を悪化させるという問題がある（図９）。
【課題を解決するための手段】
【０００４】
本発明は上記課題を解決するために、前部に吸入口を有し塵埃を捕集する集塵ケースと、前記集塵ケースの開口部に回動自在に設けられ粗塵を捕集する上流フィルターと、同じく前記集塵ケースの開口部で前記上流フィルターの下流側に回動自在に設けられ前記上流フィルターを通過した細塵を捕集する下流フィルターと、前記下流フィルターを前記集塵ケースの開口部で前記上流フィルターの下流側に保持する尾錠と、前記上流フィルターを前記集塵ケースの開口部に保持する係止部と、前記尾錠による下流フィルターの保持および係止部による上流フィルターの保持を共に解除する操作部とを備え、前記操作部を操作して保持を解除し、前記下流フィルター、上流フィルターを順に回動させて前記集塵ケースの開口部を開放させた後、前記上流フィルターのみを前記集塵ケースに保持できる構成とした。
【発明の効果】
【０００５】
本発明は、簡単な操作で上流フィルターのみを集塵ケース側に保持できるので、集塵ケースの取っ手部を持った状態で、下流フィルターの集塵面側を開放状態で保つことができ、下流フィルターの集塵面側のお手入れ性を向上した集塵装置及びその集塵装置を用いた電気掃除機を提供できる。
【発明を実施するための最良の形態】
【０００６】
第１の発明は、前部に吸入口を有し塵埃を捕集する集塵ケースと、前記集塵ケースの開口部に回動自在に設けられ粗塵を捕集する上流フィルターと、同じく前記集塵ケースの開口部で前記上流フィルターの下流側に回動自在に設けられ前記上流フィルターを通過した細塵を捕集する下流フィルターと、前記下流フィルターを前記集塵ケースの開口部で前記上流フィルターの下流側に保持する尾錠と、前記上流フィルターを前記集塵ケースの開口部に保持する係止部と、前記尾錠による下流フィルターの保持および係止部による上流フィルターの保持を共に解除する操作部とを備え、前記操作部を操作して保持を解除し、前記下流フィルター、上流フィルターを順に回動させて前記集塵ケースの開口部を開放させた後、前記上流フィルターのみを前記集塵ケースに保持できる構成とした。これにより簡単な操作で上流フィルターのみを集塵ケース側に保持（仮固定）できるので、集塵ケースの取っ手部を持った状態で、下流フィルターの集塵面側を開放状態で保つことができ、下流フィルターの集塵面側をお手入れブラシにて掃除する際のお手入れ性を向上させる。
【０００７】
第２の発明は、第１の発明の尾錠による下流フィルターの保持を操作部により解除したとき、係止部による上流フィルターの保持も解除される構成としたもので、ごみ捨て時の蓋開放の妨げになることがないので、ごみ捨て時に上流フィルターが集塵ケースに保持されたままになるなどの弊害を防止できる。
【０００８】
第３の発明は、第１または第２の発明に記載の集塵装置を備えた電気掃除機とすることで、清潔で、使い勝手のよい電気掃除機を提供することができる。
【０００９】
以下、本発明の実施の形態について、図面を参照しながら説明する。なお、この実施の形態によってこの発明が限定されるものではない。
【００１０】
（実施の形態１）
本発明の第１の実施の形態における電気掃除機について、図１〜８を用いて説明する。
【００１１】
図１は、本実施の形態における電気掃除機の全体斜視図、図２（ａ）は、同掃除機本体に収納される集塵装置の斜視図（係止部ロックの状態）、図２（ｂ）は、同掃除機本体に収納される集塵装置の斜視図（係止部解除の状態）、図３（ａ）は同掃除機本体に収納される集塵装置の蓋部を外した状態斜視図、図３（ｂ）は同掃除機本体に収納される集塵装置の操作部品部断面図、図３（ｃ）は同掃除機本体に収納される集塵装置の蓋の係止部断面図、図４は同掃除機本体に収納される集塵装置のセンター断面図（係止部ロックの状態）、図５（ａ）は同掃除機本体に収納される集塵装置の断面図（係止部解除の状態）、図５（ｂ）は集塵装置の上流フィルター上部斜視図、図６（ａ）は同掃除機本体に収納される集塵装置の操作部品斜視図、図６（ｂ）は同掃除機本体に収納される集塵装置の上流フィルター斜視図、図６（ｃ）は同掃除機本体に収納される集塵装置の上流フィルターアーム部断面図（係止部ロックの状態）、図６（ｄ）は同掃除機本体に収納される集塵装置の上流フィルターアーム部断面図（係止部解除の状態）、図７（ａ）は同掃除機本体に収納される集塵装置の上流フィルター仮固定部断面図、図７（ｂ）は前記の仮固定部断面の拡大図、図８（ａ）は同掃除機本体に収納される集塵装置のごみ捨て時の状態での斜視図、図８（ｂ）は同掃除機本体に収納される集塵装置の下流フィルターお手入れ状態の斜視図を示す。
【００１２】
本実施の形態における電気掃除機は、掃除機本体１と、掃除機本体１の前方に設けたホース接続口２０に接続されるホース２と、ホース２の先端に設けられた接続パイプ３と、接続パイプ３に接続される延長管４と、延長管４の先端に設けられ塵埃を吸引する開口部（図示せず）を有する吸込具５からなり、掃除機本体１には、塵埃を吸引するための電動送風機６、塵埃を集塵する集塵装置７が内蔵されている。
【００１３】
図２、図５に示す集塵装置７は、構成部品を大きく分けると、外郭を構成する集塵ケース８と、集塵ケース８の前部に設けられ含塵空気が吸引される吸入口８ｅと、集塵ケース８の後部の開口部８ｆを塞ぐように設けられた上流フィルター９と、その後方を塞ぐように設けられた下流フィルター１０とから構成される。上流フィルター９及び下流フィルター１０は集塵ケース８上方に設けられた２箇所のヒンジ固定部８ａに開閉（回動）可能に取り付けられている。また、図３に示すとおり、下流フィルター１０を保持する係止部１１は集塵ケース８の両側の側面部下方に配置され、下流フィルター１０の下方両側設けた被係止部１０ａと嵌合することによって集塵ケース８に保持される。係止部１１の解除操作を行うＵ字型形状の操作部品１２は吸引風の流路となる集塵部８ｂ及び上流フィルター９と下流フィルター１０の外側に構成され、操作部品１２のアーム部１２ａ及び係止部１１は集塵ケース８の両サイドに設けられ二重壁８ｃにより隔離された構成とする。集塵ケース８上方中央部には取り出し／持ち運び用のもち手８ｄを設け、近傍に、係止部１１の解除操作を行う操作部１２ｂを配置する構成となっている。操作部品１２の操作部１２ｂ以外の外観になる箇所は、集塵ケース８の外観形状に対して、係止部１１のかかり代と同等以上の段差を設け凹とする構成となっている。
【００１４】
図４に示すように上流フィルター９は、枠体９ａとその枠体９ａと一体的に成形されたネットフィルター９ｂとから構成され、粗い塵埃を捕集する為に用いられる。枠体９ａは、集塵ケース８と下流フィルター１０側の両方に全周にシール手段であるシールパッキン９ｃが設けられ、上流フィルター９及び下流フィルター１０を閉じたとき、集塵ケース８及び下流フィルター１０のそれぞれと密封することができる。集塵ケース８及び下流フィルター１０のそれぞれと全周シールする箇所は集塵ケース８内に設けられており、側面部は二重壁８ｃの内側に配置されている。そして、前記の通り、集塵ケース８の両側の側面部下方に配置され係止部１１と下流フィルター１０の下方両側に設けた被係止部１０ａを嵌合させることによって、集塵装置７を密閉する構成となっている。
【００１５】
下流フィルター１０は、上流フィルター９を通過した細かい塵埃を捕集する細塵用フィルターであり、プリーツ加工（断面形状を波状に加工すること。）しており、プリーツ加工された波状の山と谷の折り目の方向はフィルター全体で上下方向に揃えてある。下流フィルター１０の後側にはジョジンレバー１３がホルダー１４と下流フィルター１０とで挟むことで保持されており、手動もしくは外部の動力源によりジョジンレバー１３は左右に動くことができ、下流フィルター１０のレール部１０ｂをはじくことで、下流フィルター１０に付着した細塵を落とす構成となっている。また下流フィルター１０の後側には、シール手段であるシールパッキン１０ｃが設けられ、集塵装置７が本体１に収納されたとき、電気掃除機内で集塵装置７を密閉する構成となっている。
【００１６】
また、本発明の集塵装置７には集塵ケース８の蓋部となる上流フィルター９及び下流フィルター１０を開放の開方向に付勢する付勢手段が設けられている。図４及び図５に示すとおり、下流フィルター１０を開方向に付勢する付勢手段として、上流フィルター９上部のバネ収納部９ｄに弾性体であるバネ１５、また下流フィルター１０側にバネ１５を押さえリブ１０ｄが配置されている。前記のバネ収納部９ｄは下流フィルター１０方向側に縦方向のスリット９ｅが設けられており、蓋が閉状態では、そのスリット９ｅの内側に前記の押さえリブ１０ｄが挿入され、常にバネ１５を押さえる構造となっている。図６に示すとおり、上流フィルター９を開方向に付勢する付勢手段として、操作部品１２の下部に傾斜面を設けた２箇所の突起形状１２ｃが上流フィルター９の集塵ケース８の上部に取着しているヒンジ部９ｆの上方に配置する構成とされている。前記のヒンジ部９ｆは前記の突起形状１２ｃの傾斜面と平行の傾斜面が設けられている。蓋部が密閉状況（操作部を押さない状態）では、これらの突起形状１２ｃの傾斜面と前記のヒンジ部９ｆ傾斜面の間は距離を設けており、前記の操作部品１２が下方に押されて、係止部１１が解除されるタイミングより後に、傾斜面同志が接触し、ヒンジ部９ｆを押さえる設定とされている。さらに、本発明の集塵装置７には、ゴミ捨て時には上流フィルター９と下流フィルター１０開放する構成であるが、この時、上流フィルター９のみを集塵ケース８側に保持（仮固定）できる手段として、図６に示すとおり、操作部品１２及び上流フィルター９に爪嵌合の係止部１２ｄ及び上流フィルター固定用被係止部（係止部）９ｇが両側２箇所に設けられている。図７に示すとおり、前記の係止部１２ｄ及び上流フィルター固定用被係止部（係止部）９ｇ嵌合面は、傾斜面で形成されており、下流フィルター１０側から過度の引張り力が上流フィルター９に働いた場合にも、嵌合部が外れる構成としている。上流フィルター９の保持（仮固定）解除は、集塵装置７のロック（前記係止部１１及び被係止部１０ａ）が解除されるタイミングより前に解除される設定としている。また、上流フィルター９にはツマミ部９ｈがヒンジ固定部８ａから離れた位置に配置されており、保持（仮固定）状態においてもツマミ部９ｈを軽く引っ張ることで、解除できる構成となっている。
【００１７】
以上のように構成された本実施の形態における電気掃除機の動作、作用について以下に説明する。
【００１８】
図２（ｂ）に示すように本発明の集塵装置７はごみ捨て時に下側が開放する構造となっているが、そのごみ捨て時の動作を具体的に説明する。電気掃除機本体１に収納された集塵装置７はごみ捨て時に本体収納部（図示せず）から集塵ケースの持ち手部８ｄを持って取り出される。取り出された集塵装置７は持ち手部８ｄ近傍の操作部１２ｂを押す事で、操作部品１２の両サイドのアーム部１２ａを介して、両側の係止部１１を下方に摺動させる。そして係止部１１が下方に摺動し、下流フィルター１０の下方に配した被係止部１０ａとの嵌合が解除され、下流フィルター１０が集塵ケース８上方に設けられた回動軸を中心に約１１０°開く。それに付随して上流フィルター９も開き、集塵ケース８の集塵部８ｂに蓄積されたゴミを捨てられるよう開放される。これにより、ごみ捨ての操作が片手で簡単に下向き開放にて行うことができ、蓋部閉状態での保持も上部の回動軸部と側面下方２箇所でロックされ、蓋部の閉状態における保持も確実に行う事ができる。また、開放方向を下向きにする事で、下流フィルター１０の下部にたまるジョジンレバー１３によりプリーツフィルターから除塵された細塵の処理がしやすくなる上に、お手入れ時のほこりの舞い上がりを抑えることができる。次に、ごみ捨て時の上流フィルター９及び下流フィルター１０を開方向に付勢する付勢手段及び上流フィルター９の固定部の動作詳細についても説明する。取り出された集塵装置７の操作部品トータルのストロークは５ｍｍであり、約１ｍｍ押すことで、まず前記の上流フィルター９のみの固定部である係止部１２ｄ及び上流フィルター固定用被係止部（係止部）９ｇが解除される。さらに１〜１．５ｍｍ抑えることで、下流フィルター１０のロックである係止部１１と被係止部１０ａのロックが解除される。解除と同時に下流フィルター１０を開方向に付勢する付勢手段であるバネ１５により、下流フィルター１０が開方向に押し出される。また、このバネ１５は上流フィルター９と下流フィルター１０の間にあり、ごみ捨てを行う時、両フィルターが回動する間も、両フィルター間に常にすき間を設ける役割を果たし、下流フィルター１０に付着した細塵及びプリーツフィルターから除塵された細塵が落ちやすくなる。さらに操作部品１２を下方に押し下げると、図６に示すとおり、操作部品１２の下部に傾斜面を設けた２箇所の突起形状１２ｃが上流フィルター９の集塵ケース８の上部に取着しているヒンジ部９ｆを押さえ、上流フィルター９を開方向に押し出す動作となっている。ごみ捨て時は図８（ａ）のような形態となり、上流フィルター９に配する粗い塵埃を捕集するネットフィルター９ｂのお手入れはこの状態で行う。また、ごみ捨てした体勢のまま、続けて下流フィルター１０の細かい塵埃を捕集するプリーツフィルター部のお手入れをする際に、保持構成がない状態では図９に示すように、上流フィルター９が重力で下流フィルター１０の集塵面側に落ちてきて、上流フィルター９が下流フィルター１０の上に配したままで、お手入れがしにくい（できない）ため、図８（ｂ）のとおり、上流フィルター９のみを集塵ケース８側に回動させ、前記の係止部１２ｄ及び上流フィルター固定用被係止部（係止部）９ｇにて上流フ���ルター９を集塵ケース８側に保持させる。上流フィルター９は集塵ケース８側に爪勘合にて保持されることで、下流フィルター１０のお手入れがしやすくなると共に、上流フィルター９のツマミ部９ｈを下流フィルター１０側から軽く引っ張るだけで、保持解除も行うことができるので、お手入れ時にはユーザーにとって自由度が増加し、使用性向上につながる（使用状況として、上／下フィルター開放し、ゴミ捨てを行う→上流フィルターを集塵ケースに保持させ、下流フィルターのお手入れを行う。→ツマミ部を引っ張り、保持部再度解除させ、開放側に向いた上流フィルター集塵面側にティッシュを装着するといった例が挙げられる）。
【産業上の利用可能性】
【００１９】
以上のように、本発明に係る集塵装置は、集塵ケース開口部の蓋となる、上流、下流フィルター部の簡単な操作での係止部解除と集塵ケースへの確実な固定を両立し、且つゴミ捨て時の開放方向が下向きにでき、ごみ捨て時のお手入れ性や清潔性を向上する事ができ、より清潔性に優れ、なおかつ使い勝手のよい電気掃除機を提供することができ、幅広く電気掃除機に適用できる。
【図面の簡単な説明】
【００２０】
【図１】本発明の実施の形態１における電気掃除機の全体斜視図
【図２】（ａ）同掃除機本体に収納される集塵装置の斜視図（係止部ロックの状態）（ｂ）同掃除機本体に収納される集塵装置の斜視図（係止部解除の状態）
【図３】（ａ）同掃除機本体に収納される集塵装置の蓋部を外した状態斜視図（ｂ）同掃除機本体に収納される集塵装置の操作部品部断面図（ｃ）同掃除機本体に収納される集塵装置の蓋の係止部断面図
【図４】同掃除機本体に収納される集塵装置のセンター断面図（係止部ロックの状態）
【図５】（ａ）同掃除機本体に収納される集塵装置の断面図（係止部解除の状態）（ｂ）集塵装置の上流フィルター上部斜視図
【図６】（ａ）同掃除機本体に収納される集塵装置の操作部品斜視図（ｂ）同掃除機本体に収納される集塵装置の上流フィルター斜視図（ｃ）同掃除機本体に収納される集塵装置の上流フィルターヒンジ部断面図（係止部ロックの状態、下流フィルターは図示せず）（ｄ）同掃除機本体に収納される集塵装置の上流フィルターヒンジ部断面図（係止部解除の状態下流フィルターは図示せず）
【図７】（ａ）同掃除機本体に収納される集塵装置の上流フィルター固定部断面図（係止部ロックの状態、下流フィルターは図示せず）（ｂ）は前記の仮固定部断面の拡大図
【図８】（ａ）同掃除機本体に収納される集塵装置のごみ捨て時の状態での斜視図（ｂ）同掃除機本体に収納される集塵装置の下流フィルターお手入れ時の斜視図
【図９】同掃除機本体に収納される集塵装置の下流フィルターお手入れ時の断面図
【符号の説明】
【００２１】
１      電気掃除機本体
２      ホース
３      接続パイプ
４      延長管
５      吸込具
６      電動送風機
７      集塵装置
８      集塵ケース
８ａ    ヒンジ固定部
８ｂ    集塵部
８ｃ    二重壁
８ｄ    持ち手部
８ｅ    吸入口
８ｆ    開口部
９      上流フィルター
９ａ    枠体
９ｂ    ネットフィルター
９ｃ    シールパッキン
９ｄ    バネ収納部
９ｅ    スリット
９ｆ    ヒンジ部
９ｇ    上流フィルター固定用被係止部（係止部）
９ｈ    ツマミ部
１０    下流フィルター
１０ａ  被係止部（尾錠）
１０ｂ  レール部
１０ｃ  シールパッキン
１０ｄ  押さえリブ
１１    係止部（尾錠）
１２    操作部品
１２ａ  アーム部
１２ｂ  操作部
１２ｃ  突起形状
１２ｄ  上流フィルター固定用係止部（係止部）
１３    ジョジンレバー
１４    ホルダー
１５    バネ（弾性体）
１６    お手入れブラシ
【図１】
2010035787.tif 000003
【図２】
2010035787.tif 000004
【図３】
2010035787.tif 000005
【図４】
2010035787.tif 000006
【図５】
2010035787.tif 000007
【図６】
2010035787.tif 000008
【図７】
2010035787.tif 000009
【図８】
2010035787.tif 000010
【図９】
2010035787.tif 000011